(57)【要約】【課題】この発明は、口径と深さの比率を大きくしつつも、糸尻の実質的な高さを確保すること、糸尻に指先をかけて容器をもった際に指先が底板に接触しにくいカップを得ることを課題とするものであり、加えてそのようなカップを用いて断熱容器を得ることを課題とするものである。【解決手段】この発明は、合成樹脂シートを成形してなるカップ１において、カップの底部周縁に糸尻２を形成し、糸尻の内側に上向き傾斜部４を介して略平坦な凹陥部５を形成したものである。上記構成によれば、糸尻の内側が凹陥し、カップを持ったときに指先が底板に触れにくい容器を得ることができるが、更に外筒１１を装着して二重容器とすると、側壁における断熱効果のある断熱カップが得られる。【選択図】 図１
2008239160.tif 000002
【特許請求の範囲】
【請求項１】
合成樹脂シートを成形してなるカップにおいて、
カップの底部周縁に糸尻が形成され、
糸尻の内側に上向き傾斜部を介して略平坦な凹陥部が形成されたカップ
【請求項２】
傾斜部には、外側から内側に向けたリブが形成された請求項１記載のカップ
【請求項３】
請求項1又は請求項2記載のカップの外側に外筒が装着された、断熱カップ
【請求項４】
外筒は厚紙製とし、その下縁部は押圧処理によって薄肉とされた、請求項３記載の断熱カップ
【請求項５】
糸尻は、下部に向けて大径とし、外筒の下端は糸尻の下端よりも上方に位置させ、糸尻で外筒の下縁を支持した、請求項３又は４記載の断熱カップ
【発明の詳細な説明】
【技術分野】
【０００１】
この発明は、即席食品の包装用或いは飲食用に使用されるカップ及びその製造方法並びに断熱カップに関するものである。カップ食品に熱湯を注ぎ食する場合、熱湯は温度が高いほど内容物の戻りが良く味も良いことが知られている。消費者が熱い内容物の容器を持つ時への配慮や、電子レンジで加熱調理する場合の電子レンジの効率を考慮すると、糸尻の高い容器が望まれる。
【背景技術】
【０００２】
従来、合成樹脂シートを成形したカップに高温の湯を注いで使用する場合、湯の温度で容器外周面が熱くなり、樹脂が軟らかくなる。そのためカップ食品を食する者は容器の周面を持つことを避けて、カップ上部のフランジ部分と底部分に指を掛けて食べようとする。しかしながら、内容物の熱及び湯の重さにより容器の底が垂れ下がるので、指が容器の底に触れてしまうことがある。
【０００３】
合成樹脂シートを成形してカップを形成する場合、合成樹脂シートの特性からカップの口径と高さの比率の許容限度が決められる。特に底板の厚みが重要である。口径と高さの比率を大きくした結果底板が薄くなった場合、カップに湯を注いだときに底板に係る重量で底板が下方へ変形してしまい、糸尻の実質的な高さが減殺される。他方、底板が薄くなることを避けようとするならば、糸尻を低くしなければならない。
いずれにしても、指がカップの底板に触れやすくいことに変わりがなく、安全上好ましくない。
【０００４】
従来の合成樹脂シート成形品においては、通常の成型方法では底板が肉薄になるため、合成樹脂カップには糸尻を形成せず、糸尻は紙製の外筒で形成することが多い。しかし、即席給湯食品の場合、容器への給湯場所である台所台に水がある場合や、給湯時にこぼれる湯などによって外筒の下部に水が付着することがある。その結果糸尻となる外筒の下部が軟らかくなり持ちにくくなったり、安定性を失い容器が倒れるおそれもある。
【０００５】
高温の液体を注いだ際の容器底板の変形対策としては、ＰＥＴボトルに関し、底板に凹陥部を形成すると共に、その周囲にリブを形成することが提案されているが、この提案はＰＥＴボトルに係るものであるから、容器の生産工程で底板を吸引切り離しすることはなく、吸引への対応については考慮されていない。
【特許文献１】特開２００５−１１２４２７
【発明の開示】
【発明が解決しようとする課題】
【０００６】
この発明は、口径と深さの比率を大きくしつつも、糸尻の実質的な高さを確保すること、糸尻に指先をかけて容器をもった際に指先が底板に接触しにくいカップを得ることを課題とするものであり、加えてそのようなカップを用いて断熱容器を得ることを課題とするものである。
【課題を解決するための手段】
【０００７】
請求項１の発明は、合成樹脂シートを成形してなるカップにおいて、カップの底部周縁に糸尻を形成し、糸尻の内側に上向き傾斜部を介して略平坦な凹陥部を形成したものである。前記凹陥部は、カップに内容物（例えば即席麺）を充填する工程においてカップの底板に一個一個のスタック切り離し吸引パットをあてがって吸引するための部位である。そして、吸引可能であれば完全に平坦である必要はなく、吸引可能であれば湾曲面をなしていても「略平坦」に含まれるものとする。
【０００８】
素材となる合成樹脂シートは、耐熱性が高く低カロリー焼却性のＰＰフィラーシート（ポリプロピレン樹脂とポリエチレンのブレンド品に２０〜３０％のケイ酸マグネシウムを混入させた中間層と、表裏両層にポリプロピレンとポリエチレンのブレンドの層を有した三層構造のシート）が好ましい。このＰＰフィラーシートは耐熱性が高く、焼却時の低燃焼性（焼却可能）、容器に求められる水蒸気バリヤー性等により汎用樹脂として低コストが実現されるもので、ＰＰ，ＰＥ，ＰＳなどの単体シートでは得られない特性を有し、この発明への使用に好適な素材である。
前記傾斜部には、外側から内側に向けたリブを形成することが好ましい（請求項２）。リブの態様は、実施形態に示すものに限られない。凸条を渦巻き状に形成したり、直径的に形成するなど、傾斜部が補強される態様であれば適宜選択することができる。
【０００９】
上記構成によれば、糸尻の内側が凹陥し、カップを持ったときに指先が底板に触れにくい容器を得ることができるが、更に外筒を装着して二重容器とすると、側壁における断熱効果のある断熱カップが得られる。そして、外筒は厚紙製（内層と外層とを貼り合わせた二層のものを含む）とし、下縁部は押圧処理によって薄肉として構成すると、外筒の下縁の切断面が露出することがなく、見栄えが向上する。
更に、請求項５のように糸尻部分を下方に向けて大径として外筒の下端を支持するような構成とすれば、外筒の抜けを防止できると共に、外筒下縁の露出を回避することができる。
【発明の効果】
【００１０】
この発明のカップによれば、糸尻の内側に上向き傾斜部を介して凹陥部を形成したので、糸尻の高さが指先と底板の接触を回避するためには不十分な場合であっても、底板の凹陥部は糸尻の高さよりも深く凹陥しているので、指先と底板の接触を回避することができ、容量を最大限としつつも安全なカップとすることができる。
また、凹陥部は傾斜部を介して設けてあるので、凹陥部の直径は糸尻内側の直径よりも小さい。したがって、湯を注いだときの凹陥部の変形量は糸尻内側全体を底上げした場合よりも小さい。また傾斜部は補強機能を持ち、加えて傾斜部にリブを形成すれば補強機能は一層向上する。その結果、底板の変形は可及的に抑えることができ、糸尻の下縁から底板までの距離を大きく保つことができ、指の接触を回避することができる。
【００１１】
この発明の断熱容器によれば、周壁においてカップと外筒の間に断熱層が形成されるので、カップの上下に指をかけてもつ場合のみならず、カップの周壁を握てカップを持つ場合も熱さを感じることがない。
また、糸尻の高さが十分に高い場合は、糸尻の下端部を外側へカールさせて外筒の下端部を隠すことによって、外筒下端の断面が露出しないようにすることが可能であるが、糸尻の高さが低い場合は糸尻の下端部をカールさせることができない。しかるに外筒の下縁部を加圧処理することにより断面を圧縮させれば、端面が露出したままであっても見栄えが悪化することがない。
【発明を実施するための最良の形態】
【００１２】
図１，図２において、合成樹脂シート製のカップ１の底部周縁に糸尻２が形成してあり、その糸尻の高さＨは約４ミリとしてある。カップ１の底板は、糸尻２の内側に接して平坦部３が環状に形成してあり、この平坦部３の内縁に接して上向き傾斜の傾斜部４が環状に形成してあり、この傾斜部４の内縁に接して凹陥部５となる平坦部が形成してある。
前記カップ１は口径約１００ミリ、高さ約１２０ミリ、底面直径約８０ミリ、糸尻の高さ（容器裏面側）は約４ミリである。また前記環状の平坦部３の幅は約８ミリ、傾斜部４の幅は約１２ミリ、凹陥部５の直径は約３８ミリであり、平坦部３と凹陥部５の高低差は約４ミリである。したがって、カップ１の下端から凹陥部５までの高さは約８ミリとなる。
前記傾斜部４にはリブ６が、面を渦巻き状に傾斜させることによって複数形成してある。
【００１３】
図３は前記カップ１の素材である合成樹脂シート７の断面図である。
この合成樹脂シート７はＰＰフィラーシートであって、ポリプロピレン樹脂とポリエチレンのブレンド品に２０〜３０％のケイ酸マグネシウムを混入させた層７ａの表裏をポリプロピレンとポリエチレンのブレンドの層７ｂとした三層構造のシートである。
ＰＰフィラーシートは、白く衛生性があり、剛性、耐熱性が高く、バリヤー性も高く、しかも焼却処理時の発熱カロリーが低く、即席麺等の容器として好適である。
【００１４】
前記カップは、合成樹脂シート７を真空成形により底部に糸尻を有するカップ原型を形成し、次いでプレス加工により底板の中央部に上向き傾斜部４と凹陥部５を形成することにより製造するとよい。この製造方法によれば、底板の肉厚の偏りが生ずることなく、複雑な形状の底板を得ることができる。
【００１５】
図４はカップ１に外筒１１を装着して断熱容器としたものである。カップ１の上部に段部を形成して、カップ１の周壁と外筒との間に空隙を形成すると断熱効果は一層高まる。
ところで、外筒１１の上縁部はカップ１の口部外カール８によって隠されているが、下縁部１１ｂは露出している。先にも述べたように、糸尻の高さが十分に高ければ糸尻の下縁部をカールさせて外筒の下縁を覆い隠すことができるが、糸尻の高さが低いためにカールすることができない。
一般に外筒１１の素材としては、厚紙や段ボールが使用されるが、これらの下縁切断面が露出すると見栄えが悪い。そこで、外筒１１の素材である厚紙（内層に印刷に適した外層を貼り合わせたもの）１２の下縁部１２ｂを加圧して圧縮し、紙厚が目立たないようにしてある。
このような処理をした外筒１１を使用することにより、カップ１の下縁部をカール処理しなくとも厚紙製の外筒を装着しつつ、その下端縁が目立たない断熱容器とすることができる。
【００１６】
上記のように構成されたカップは、以下の作用効果を奏するものである。
ア）糸尻の内側に凹陥部５を形成したので、糸尻の高さが不足していても底板中央部は糸尻の上端よりも上方に位置させることができる。したがって、糸尻の高さが低くとも、糸尻に掛けた指の先端が容器の底に触れることを回避できる。
イ）凹陥部５の面積はカップ１の底面積よりも狭いので、カップ１に湯を注いだときの変形量が比較的小さい。したがって、湯を注いだ際にも凹陥部の下方に指の接触を回避しえるスペースが確保される。
ウ）傾斜部４にリブを形成したので傾斜部が補強され、湯を注いだ際の傾斜部の変形が可及的に抑えられ、湯を注いだ際における凹陥部の下方のスペース確保に寄与する。
エ）凹陥部５は平坦面であるから、カップを吸引により搬送する際、ここに吸引パットをあてがうことにより、通常のカップと同様に搬送作業を行うことができる。
また、断熱容器においては、
オ）外筒１１の下縁部を圧縮処理してあるので、外筒の下端縁が目立たない。
上記の結果、カップの容量を合成樹脂シートの成形限界近くまで大きくしつつ、食するときにカップに注がれた高温の湯の熱さを感じ難くい容器として使用しえることとなる。
カ）外筒１１の下縁部もカップの糸尻外周によって支持されているので、調理時に糸尻部に水分が触れても外筒が変形することがない。更に、請求項５の構成として外筒の下縁を糸尻下端よりも上方に位置させるならば、外筒に水分が触れるおそれも回避できる。
【産業上の利用可能性】
【００１７】
この発明は、即席麺、即席スープなど高温の湯を注いでそのまま食する食品の包装用容器として好適なものであって、産業上の利用可能性を有するものである。
【図面の簡単な説明】
【００１８】
【図１】底面側斜視図
【図２】底部断面図
【図３】シートの拡大断面図
【図４】外筒を装着した断面図
【図５】加圧部分を示す厚紙の図（外筒の展開図）
【符号の説明】
【００１９】
１    カップ
２    糸尻
３    平坦部
４    傾斜部
５    凹陥部
１１  外筒
【図１】
2008239160.tif 000003
【図２】
2008239160.tif 000004
【図３】
2008239160.tif 000005
【図４】
2008239160.tif 000006
【図５】
2008239160.tif 000007